(57)【要約】【課題】簡易な手段で汚染土壌の浄化を達成するための土壌浄化装置を提供する。【解決手段】浄化剤１１を地盤に形成した注入井６２に注入して土壌を浄化する土壌浄化装置１である。土壌浄化装置１は、浄化剤１１を貯留するタンク１０と、タンク１０と注入井６２とをつなぐ配管４０と、配管４０に設けられ、タンク１０から注入井６２へ向け浄化剤１１を圧送するポンプ２０とを備える。ポンプ２０は、ダイヤフラム２５をガス圧により駆動するエア駆動式ダイヤフラムポンプである。【選択図】図１
2007301494.tif 000002
【特許請求の範囲】
【請求項１】
浄化剤を地盤に形成した注入井に注入して土壌を浄化する土壌浄化装置であって、
前記浄化剤を貯留するタンクと、
前記タンクと前記注入井とをつなぐ配管と、
前記配管に設けられ、前記タンクから前記注入井へ向け前記浄化剤を圧送するポンプとを備え、
前記ポンプは、ダイヤフラムをガス圧により駆動するエア駆動式ダイヤフラムポンプであることを特徴とする土壌浄化装置。
【発明の詳細な説明】
【技術分野】
【０００１】
本発明は、浄化剤を土壌中に注入して土壌を浄化する土壌浄化装置に関する。
【背景技術】
【０００２】
一般に、有害物質を含んだ土壌を無害化する方法としては、
（１）汚染された地下水を抽出するための井戸を地盤に形成し、この井戸から地下水とともに汚染物質を抽出し、抽出された汚染物質を活性炭吸着や曝気などにより無害化する方法、
（２）汚染された土壌を掘り出し、掘り出した汚染土壌を地上で焼却、低温加熱、風乾などの方法により無害化する方法、
（３）汚染された土壌中に、汚染物質に応じた浄化剤を注入して浄化する方法、
などがある。
【０００３】
（１）や（２）の方法のように、地中の物質を地上に取り出す方法に比べ、（３）の方法は、地中において土壌を浄化するため、簡易な方法として優れている。
【０００４】
（３）のように、浄化剤を地中に注入する方法の中にも、特許文献１のように、注入井と、注入井の周りに掘削した抽出井を形成し、注入井からヒドロキシラジカルを注入するとともに、抽出井から揮散する溶脱汚染物質などを含む気体を捕集する方法や、特許文献２のように、汚染地盤に注入井のみを形成し、注入井から浄化剤を注入するだけの方法もある。
【０００５】
注入井のみを形成する後者の方法は、抽出井も形成する前者の方法に比べて、少ない井戸の掘削で浄化工事ができるので、より簡易な方法ということができる。
【０００６】
【特許文献１】特開２０００−２１８２６０号公報
【特許文献２】特開２００１−１２９５２６号公報
【発明の開示】
【発明が解決しようとする課題】
【０００７】
ところで、（３）の浄化剤を地中に注入する方法は、浄化剤を地中に注入するのに、ポンプで圧力を加えて浄化剤を注入井へ圧送する必要がある。
特に、抽出井を形成せず、注入井のみを形成して工事を行う場合には、圧力の逃げ場が少ないため、地中の圧力が高くなりやすい。また、浄化剤による浄化過程でガスを発生する場合には、この圧力上昇は顕著である。
【０００８】
そして、注入井内の圧力が高まると、ポンプの圧送圧力と注入井内の圧力とが釣り合ったときにポンプから浄化剤を送ることができなくなるが、このような状態で電磁駆動式のポンプを作動させつづけると、過負荷となってポンプが損傷しやすいという問題がある。
【０００９】
一方、ポンプに負担を掛けないために人手でポンプを停止させたり、圧送圧力をモニターして自動的にポンプを停止させる制御装置を用意するのはコスト高になるという問題がある。また、浄化工事の現場では、ポンプと注入井の距離が様々であり、適切に圧送圧力をモニターすることが困難である。
【００１０】
さらに、汚染土壌の地質は様々であり、浄化工事の現場に応じて圧送圧力を適宜調整できるのが望ましいが、そのために別途の制御装置を用意するのも煩雑である。
【００１１】
本発明は、以上のような背景に鑑みてなされたものであり、簡易な手段で汚染土壌の浄化を達成するための土壌浄化装置を提供することを課題とする。
【課題を解決するための手段】
【００１２】
前記した課題を解決するための本発明は、浄化剤を地盤に形成した注入井に注入して土壌を浄化する土壌浄化装置であって、前記浄化剤を貯留するタンクと、前記タンクと前記注入井とをつなぐ配管と、前記配管に設けられ、前記タンクから前記注入井へ向け前記浄化剤を圧送するポンプとを備え、前記ポンプは、ダイヤフラムをガス圧により駆動するエア駆動式ダイヤフラムポンプであることを特徴とする。
【００１３】
このような土壌浄化装置によれば、土壌中に浄化剤を注入していくにしたがい、土壌中、つまり地中の圧力が高まって、ポンプの圧送圧力と地中の圧力が注入井の圧力と釣り合ったときには、ガス圧がダイヤフラムを駆動できなくなってポンプの動作が停止する。そのため、ポンプに負担が掛かることがなく、人手でポンプを停止させたり、圧力をモニターしてポンプを停止させるシステムを作ったりする必要がない。
【００１４】
なお、本発明においての浄化剤は、その浄化方法に応じ、土壌を浄化する過程で地中に注入すべき液状、ゲル状、気体状などのすべての物質を含み、酸化剤、還元剤、触媒などだけでなく、水や不溶化剤なども含むものとする。
【発明の効果】
【００１５】
本発明によれば、簡易な手段でポンプに負担を掛けることなく汚染土壌を浄化させることができる。
【発明を実施するための最良の形態】
【００１６】
次に、本発明の実施形態について、適宜図面を参照しながら詳細に説明する。
参照する図面において、図１は、本発明の実施形態に係る土壌浄化装置を説明する図である。
【００１７】
図１に示すように、土壌浄化装置１は、タンク１０内に貯留された浄化剤１１をポンプ２０により地中に注入することで、土壌を浄化する装置である。本実施形態では、一例として、地下の飽和帯６１に浄化剤１１を注入する場合で説明する。
土壌浄化装置１は、タンク１０と、ポンプ２０と、これらのタンク１０、ポンプ２０および注入井６２の間をつないで浄化剤１１を通流させる配管４０とを備えて構成されている。
【００１８】
タンク１０には、浄化剤１１が貯留されている。浄化剤１１は、例えば、過酸化水素水（Ｈ２Ｏ２）などの液体からなる。
注入井６２は、地盤６０に掘削して形成された穴に、管３０を挿入して形成されている。本実施形態では、飽和帯６１を浄化するため、注入井６２は、飽和帯６１まで達する深さに形成され、管３０も、同じ深さまで挿入されている。
管３０は、浄化剤１１を噴出するため、先端側、つまり地中の深くに入る側に、スリットなどからなる開口３１を有している。
【００１９】
タンク１０とポンプ２０とは、配管４１により接続されている。ポンプ２０と管３０とは、配管４２および配管４３により接続され、配管４２および配管４３の間には、バルブ５５が設けられている。また、配管４３は、バルブ５６、配管４４を介して外部へ圧力または液体を放出する流路とも接続されている。そして、配管４２上には、流量計５９が設けられている。なお、各配管４０（４１〜４４）は、ホースまたはパイプおよび接続器具などにより構成される。
【００２０】
管３０の上部の配管４３には、管３０の圧力を測定する圧力ゲージ５１が設置されている。
【００２１】
図２は、エア駆動式ダイヤフラムポンプの構成を説明する断面図である。
ポンプ２０は、ダイヤフラム２５をガス圧により駆動するエア駆動式ダイヤフラムポンプである。ポンプ２０は、２つのダイヤフラム２５を有し、これらのダイヤフラム２５がポンプ軸２６により結合され、一体に動くようになっている。ポンプ軸２６は、ハウジング２１により左右に往復動が可能に支持されている。
【００２２】
ダイヤフラム２５は、ポンプ室２２内に配置されている。ポンプ室２２は、流体が通流する流体室２２ａと、ダイヤフラム２５を作動させるガスが送り込まれるガス室２２ｂを有している。
左右のガス室２２ｂには図示しない切替弁により圧縮ガスが交互に供給され、この圧縮ガスにより左右のダイヤフラム２５が左右に交互に動き、ポンプ室２２の流体室２２ａの容積を拡大・縮小させる。切替弁の構成は、例えば実開昭６１−１６４４８２号公報、特開平６−１４７１２９号公報に記載の構成を利用することができる。
左右の流体室２２ａには、それぞれ流体の導入口２３と排出口２４とが設けられ、導入口２３および排出口２４のそれぞれには、導入口２３から流体室２２ａへ、また流体室２２ａから排出口２４へと一方に流すための逆止弁２７が設けられている。
なお、圧縮ガスとしては、圧縮エアが用いられるが、ガスの種類はエア（空気）に限られるものではない。
【００２３】
以上のような構成の土壌浄化装置１の作用について説明する。
まず、浄化工事を行う地盤６０に一ないし複数の注入井６２を掘削して形成する。
そして、エア駆動型のポンプ２０に圧縮エアを導入することでダイヤフラム２５を左右に往復動させてタンク１０から浄化剤１１を注入井６２へ圧送する。このとき、バルブ５５を開放し、バルブ５６を閉塞させておく。
浄化剤１１は、配管４１，４２、バルブ５５および配管４３を通って注入井６２へ達し、注入井６２の先端付近の開口３１から地中（ここでは飽和帯６１）に噴出される。
【００２４】
飽和帯６１に噴出された浄化剤１１は、地中でフェントン反応によりヒドロキシラジカルＯＨ・を生成し、地中の有害物質、例えば有機物を酸化して炭酸ガスを発生する。
飽和帯６１に浄化剤１１を噴出することにより、飽和帯６１の圧力は、注入井６２の近傍で高くなり、徐々に注入井６２の圧力がポンプ２０の圧送圧力に近づいていく。
【００２５】
そして、ポンプ２０の圧送圧力と、注入井６２の圧力が釣り合った時点で、ポンプ２０のダイヤフラム２５が作動しなくなる。ダイヤフラム２５は、圧縮エアにより作動される構成となっているので、このときにおいても、ガス室２２ｂに導入される圧縮エアが流れない、つまり導入されないだけであり、無理にダイヤフラム２５を作動させようとはしないので、ポンプ２０が損傷することがない。ここで、仮にポンプ２０が電磁駆動式のポンプであった場合には、過負荷となって、過熱するという問題があるが、本実施形態の土壌浄化装置１ではそのような問題もない。
【００２６】
また、本実施形態のように、浄化作用に伴い、地中で炭酸ガスなどのガスが発生する場合には、このガスで体積が膨張し、飽和帯６１の地下水の流れも阻害するため、注入井６２の近傍の圧力が上がりやすい。そのため、上述したように飽和帯６１の圧力上昇に伴い、ポンプ２０が自律的に停止する。
【００２７】
その後、飽和帯６１での地下水の流れに伴って、注入井６２の近傍の圧力が下がって来たならば、圧縮エアで作動しているポンプ２０の圧送圧力が注入井６２内の浄化剤１１の圧力を超え、ポンプ２０が自律的に再度作動し始める。
【００２８】
一方、浄化反応が急激に進んだことにより、注入井６２内の圧力が過剰に高くなった場合には、バルブ５５を閉め、バルブ５６を開けて、注入井６２を通って飽和帯６１から上がってくる炭酸ガスを、配管４４を介して外部に開放するとよい。この際、ポンプ２０は、出口側圧力の上昇により自律的に停止するので、放っておいてよい。なお、注入井６２内の圧力は圧力ゲージ５１を監視しておくことで把握することができる。この圧力の開放は、圧力ゲージ５１を目視で監視してもよいし、監視装置によりモニターして、モニター圧力が所定値を超えたらバルブ５５を閉め、バルブ５６を開放するように構成してもよいし、単にバルブ５６を、所定圧力を超えた時点で開放する安全弁にしておいてもよい。
【００２９】
このように、本実施形態の土壌浄化装置１によれば、浄化剤１１を噴出することにより浄化処理する地盤６０（飽和帯６１）の圧力が上がったとしても、ポンプ２０を人手や、制御により停止させる必要がなく、ポンプ２０が自律的に停止する。このように、ポンプ２０の自律的停止、つまりポンプ２０の能力を超える負荷がかかることによりポンプ２０が停止しても、ポンプ２０がエア駆動式のダイヤフラムポンプであるので、損傷することがない。したがって、浄化処理する地盤６０の圧力変動にかかわらず、特別な制御を要せずポンプ２０を運転させたままとすることができる。このような簡易な操作でありながら、従来と同様に土壌の浄化処理を行うことが可能である。
【００３０】
以上、本発明の実施形態について説明したが、本発明は、前記した実施形態に限定されることなく、適宜変更して実施することができる。
例えば、前記実施形態においては、注入井６２のみを形成して浄化工事を行う場合について説明したが、注入井６２だけでなく、圧力や液体を抜くための注出井や、圧力を測定するためのモニターをする井戸を形成して工事をする場合にも本発明を適用することが可能である。もっとも、注入井６２だけで工事をする場合には、地中の圧力が上がりやすいため、本発明を好適に利用することができる。
また、ポンプ２０の配置は、配管４０のいずれかの位置で浄化剤１１を注入井６２側へ向けて圧送するように配置すればよく、配管４０の末端に配置、例えばタンク１０と一体に設けることもできる。
【図面の簡単な説明】
【００３１】
【図１】本発明の実施形態に係る土壌浄化装置を説明する図である。
【図２】エア駆動式ダイヤフラムポンプの構成を説明する断面図である。
【符号の説明】
【００３２】
１      土壌浄化装置
１０    タンク
１１    浄化剤
２０    ポンプ
２５    ダイヤフラム
３０    管
３１    開口
４０    配管
５１    圧力ゲージ
５５，５６    バルブ
６０    地盤
６１    飽和帯
６２    注入井
【図１】
2007301494.tif 000003
【図２】
2007301494.tif 000004